(57)【要約】【課題】  ３つの光学素子で構成された互換型の光ヘッド用光学ユニットに要求される、各光学素子相互の正確な位置決めを容易に行うことのできる光ヘッド用光学ユニットを得る。【解決手段】  第１〜第３の光学素子と、第１の光学素子と第２の光学素子の間に挟持されたスペーサと、第１の光学素子とスペーサを保持する第１の鏡枠と、第２の光学素子と第３の光学素子を保持する第２の鏡枠と、を有し、第２の鏡枠は、第２の光学素子と第３の光学素子のいずれか一方の光学素子を光軸直交方向に摺動可能な間隙が形成され、第１の鏡枠は、第２の鏡枠に固定され、第１の光学素子がスペーサの一方の面を摺動部として、光軸直交方向に摺動可能に間隙が形成されている光ヘッド用光学ユニットとする。【選択図】        図４
2006048835.tif 000002
【特許請求の範囲】
【請求項１】
光源側より順に第１の光学素子、第２の光学素子、第３の光学素子、の３つの光学素子と、前記第１の光学素子と前記第２の光学素子の間に挟持されたスペーサと、前記第１の光学素子と前記スペーサを保持する第１の鏡枠と、前記第２の光学素子と前記第３の光学素子を保持する第２の鏡枠と、を有し、
前記第２の鏡枠は、前記第２の光学素子と前記第３の光学素子のいずれか一方の光学素子を光軸と直交する方向に摺動可能な間隙が形成され、
前記第１の鏡枠は、前記第２の鏡枠に固定され、前記第１の光学素子が前記スペーサの一方の面を摺動部として、光軸と直交する方向に摺動可能な間隙が形成されていることを特徴とする光ヘッド用光学ユニット。
【請求項２】
光源側より順に第１の光学素子、第２の光学素子、第３の光学素子、の３つの光学素子と、前記第１の光学素子を保持する第１の鏡枠と、前記第２の光学素子と前記第３の光学素子を保持する第２の鏡枠とを有し、
前記第２の鏡枠は、前記第２の光学素子と前記第３の光学素子のいずれか一方の光学素子を光軸と直交する方向に摺動可能な間隙が形成され、
前記第１の鏡枠は、前記第２の鏡枠と光軸方向で当接して固定され、前記第１の光学素子が光軸と直交する方向に摺動可能な間隙が形成されていることを特徴とする光ヘッド用光学ユニット。
【請求項３】
前記第１の光学素子の外周縁部は、対応する前記第１の鏡枠の周縁部より突出し、摺動可能となされた前記第２の光学素子と前記第３の光学素子のいずれか一方の光学素子の外周縁部は、対応する前記第２の鏡枠の周縁部より突出するよう形成されていることを特徴とする請求項１又は２に記載の光ヘッド用光学ユニット。
【請求項４】
前記第１の光学素子の外周縁部に対応する前記第１の鏡枠の周縁部は少なくとも３箇所で、前記第１の光学素子の外周縁部より突出した突起部を有し、前記突起部以外の位置では前記第１の光学素子の外周縁部が前記第１の鏡枠の周縁部より突出していることを特徴とする請求項１又は２に記載の光ヘッド用光学ユニット。
【請求項５】
前記摺動部で、前記第２の光学素子と前記第３の光学素子のいずれか一方の光学素子及び、前記第１の光学素子を摺動させて、位置決めを行うことを特徴とする請求項１〜４のいずれか１項に記載の光ヘッド用光学ユニット。
【請求項６】
前記第１の鏡枠に形成された間隙をＡとし、前記第２の鏡枠に形成された間隙をＢとしたとき、
Ａ＞Ｂ
であることを特徴とする請求項１〜５のいずれか１項に記載の光ヘッド用光学ユニット。
【請求項７】
前記第１の光学素子と前記第２の光学素子は、表面に段差が形成された構造を有する光学素子であることを特徴とする請求項１〜６のいずれか１項に記載の光ヘッド用光学ユニット。
【請求項８】
請求項１〜７のいずれか１項に記載の光ヘッド用光学ユニットを備えたことを特徴とする光ピックアップ装置。
【発明の詳細な説明】
【技術分野】
【０００１】
本発明は光ヘッド装置、特に光ディスク等の光記録媒体用の記録装置や再生装置の光ピックアップ装置に用られる光ヘッド用光学ユニットに関するものである。
【背景技術】
【０００２】
従来より、青紫色レーザ光源を使用し記録密度を高めた高密度光ディスク、赤色レーザ光源を使用したＤＶＤ（Ｄｉｇｉｔａｌ  Ｖｅｒｓａｔｉｌｅ  Ｄｉｓｋ）、赤外レーザ光源を使用したＣＤ（Ｃｏｍｐａｃｔ  Ｄｉｓｋ）に対し、互換性を有する光ヘッド装置が知られている。
【０００３】
これら互換型の光ヘッドに用いられる光学ユニットとして、対物レンズの前方に２つの位相補正器を配置して、ＨＤ−ＤＶＤ（Ｈｉｇｈ  ＤｅｎｓｉｔｙーＤＶＤ）、ＤＶＤ、ＣＤの３種のディスクに対応しようとするものが開示されている（例えば、特許文献１参照）。
【０００４】
また、対物レンズと位相制御素子とを備えた、ＣＤとＤＶＤとの互換型の光ヘッド装置で、対物レンズと位相制御素子に位置決めマークを形成し、この位置決めマークにより光軸と直交する方向の位置決め（光軸合わせ）を行った後、１つのホルダーに固定した光ヘッド装置が開示されている（例えば、特許文献２参照）。
【特許文献１】特開２００３−２０７７１４号公報
【特許文献２】特開２００１−６２０３号公報
【発明の開示】
【発明が解決しようとする課題】
【０００５】
上記特許文献１に記載された光ヘッドに用いられる光学ユニットは、同特許文献の図５に示されているように３種類の異なる波長の光を厚さの相異なる光ディスクに適用できるものであるが、同図に示されるような結像特性を得るには、対物レンズ及び２つの位相補正器の相互の正確な光軸合わせが必要とされる。しかし、上記特許文献１の３つの光学素子間の相互の光軸合わせについては記載されていない。
【０００６】
また、特許文献２に記載された光ヘッド装置は、同特許文献の図１に示されているようなホルダー、位相制御素子、対物レンズの形状では、位置決めマークを用いた位置決めに際し、位置決めマークを確認するための顕微鏡を接近させつつ、位相制御素子、対物レンズのいずれか一方に位置決め治具を接触させて光軸と直交する方向に移動させるための、ホルダー、位相制御素子、対物レンズの相互の具体的形状が不明である。
【０００７】
更に、３つの光学素子を位置決めマークを用いて位置決めする場合には、ホルダー及び３つの光学素子のそれぞれに、位置決めを可能とするための形状が必要である。また、位置決めマークを確認するための顕微鏡の対物レンズも接近して配置されるため、この顕微鏡の対物レンズとも干渉せずに、位置決め可能とできる形状が必要となる。
【０００８】
本発明は上記問題に鑑み、３つの光学素子で構成された互換型の光ヘッド用光学ユニットに要求される、各光学素子相互の正確な位置決めを容易に行うことのできる光ヘッド用光学ユニットを得ることを目的とするものである。
【課題を解決するための手段】
【０００９】
上述の目的は、以下の構成により解決される。
【００１０】
１）光源側より順に第１の光学素子、第２の光学素子、第３の光学素子、の３つの光学素子と、前記第１の光学素子と前記第２の光学素子の間に挟持されたスペーサと、前記第１の光学素子と前記スペーサを保持する第１の鏡枠と、前記第２の光学素子と前記第３の光学素子を保持する第２の鏡枠と、を有し、前記第２の鏡枠は、前記第２の光学素子と前記第３の光学素子のいずれか一方の光学素子を光軸と直交する方向に摺動可能な間隙が形成され、前記第１の鏡枠は、前記第２の鏡枠に固定され、前記第１の光学素子が前記スペーサの一方の面を摺動部として、光軸と直交する方向に摺動可能な間隙が形成されていることを特徴とする光ヘッド用光学ユニット。
【００１１】
２）光源側より順に第１の光学素子、第２の光学素子、第３の光学素子、の３つの光学素子と、前記第１の光学素子を保持する第１の鏡枠と、前記第２の光学素子と前記第３の光学素子を保持する第２の鏡枠とを有し、前記第２の鏡枠は、前記第２の光学素子と前記第３の光学素子のいずれか一方の光学素子を光軸と直交する方向に摺動可能な間隙が形成され、前記第１の鏡枠は、前記第２の鏡枠と光軸方向で当接して固定され、前記第１の光学素子が光軸と直交する方向に摺動可能な間隙が形成されていることを特徴とする光ヘッド用光学ユニット。
【００１２】
３）前記第１の光学素子の外周縁部は、対応する前記第１の鏡枠の周縁部より突出し、摺動可能となされた前記第２の光学素子と前記第３の光学素子のいずれか一方の光学素子の外周縁部は、対応する前記第２の鏡枠の周縁部より突出するよう形成されている１）又は２）の光ヘッド用光学ユニット。
【００１３】
４）前記第１の光学素子の外周縁部に対応する前記第１の鏡枠の周縁部は少なくとも３箇所で、前記第１の光学素子の外周縁部より突出した突起部を有し、前記突起部以外の位置では前記第１の光学素子の外周縁部が前記第１の鏡枠の周縁部より突出している１）又は２）の光ヘッド用光学ユニット。
【００１４】
５）前記摺動部で、前記第２の光学素子と前記第３の光学素子のいずれか一方の光学素子及び、前記第１の光学素子を摺動させて、位置決めを行う１）〜４）のいずれかの光ヘッド用光学ユニット。
【００１５】
６）前記第１の鏡枠に形成された間隙をＡとし、前記第２の鏡枠に形成された間隙をＢとしたとき、
Ａ＞Ｂ
である１）〜５）のいずれかの光ヘッド用光学ユニット。
【００１６】
７）前記第１の光学素子と前記第２の光学素子は、表面に段差が形成された構造を有する光学素子である１）〜６）のいずれかの光ヘッド用光学ユニット。
【００１７】
８）１）〜７）のいずれかの光ヘッド用光学ユニットを備えた光ピックアップ装置。
【発明の効果】
【００１８】
本発明によれば、３つの光学素子で構成された互換型の光ヘッド用光学ユニットに要求される各光学素子相互の正確な位置決めを、容易に行うことのできる光ヘッド用光学ユニットを得ることができる。
【００１９】
また、第１の光学素子の外周縁部は、対応する第１の鏡枠の周縁部より突出し、第２の光学素子と第３の光学素子のいずれか一方の光学素子の外周縁部は、対応する第２の鏡枠の周縁部より突出するよう形成することにより、光学素子に接触させ位置決めを行う治具を光軸直交方向に配置できると共に、位置決めの状態を確認する顕微鏡を光学素子の光軸方向に配置でき、位置決めのための各部材を干渉することなく効果的に配置することが可能となる。
【００２０】
また、第１の鏡枠の周縁部は少なくとも３箇所で、第１の光学素子の外周縁部より突出した突起部を有することで、光ヘッド用光学ユニットを下向きに載置することができ、完成後に光学素子への擦り傷がつくのを防止できる。
【００２１】
また、第１の鏡枠に形成された間隙をＡとし、前記第２の鏡枠に形成された間隙をＢとし、Ａ＞Ｂを満足するように形成することにより、第１の鏡枠内で位置決めされる第１の光学素子の摺動量が不足することを防止できる。
【発明を実施するための最良の形態】
【００２２】
以下、実施の形態により本発明を詳しく説明するが、本発明はこれに限定されるものではない。
【００２３】
図１は、本発明に係る光ヘッド用光学ユニットを備えた互換型光ピックアップ装置１００の光学的な概略構成を示した図である。
【００２４】
同図において、互換型光ピックアップ装置１００は、青紫色レーザ光源を使用し記録密度を高めた高密度光ディスク１９ａの記録再生に適合する青紫色半導体レーザ１１と、高密度光ディスク１９ａから反射された光を受光して検出する光検出器１５と、ＤＶＤ１９ｂの記録再生に適合する波長６５０ｎｍの赤色半導体レーザと光検出器が一体化された第１光モジュール１７と、ＣＤ１９ｃの記録再生に適合する波長７８０ｎｍの赤外線半導体レーザと光検出器が一体化された第２光モジュール１８と、上記３種のレーザ光をコリメータレンズ１４へ導くと共に、ディスクからの反射光をそれぞれ受光する光検出器へ導くためのビームスプリッタ１２、１３、１６と、コリメータレンズ１４によりコリメートされたレーザ光束を上記各ディスクに適合した状態で結像させる、本発明に係る光ヘッド用光学ユニット５０を含んで構成されている。
【００２５】
高密度光ディスク１９ａが、例えばＨＤ−ＤＶＤの場合には、青紫色半導体レーザ１１は波長４００ｎｍ近傍のものが使用される。
【００２６】
なお、図１に示す互換型光ピックアップ装置は一例であり、各種の変形が可能である。
【００２７】
（第１の実施の形態）
以下、本発明に係る光ヘッド用光学ユニット５０の第１の実施の形態について説明する。
【００２８】
図２は、本発明に係る光ヘッド用光学ユニット５０の一例を示す概略断面図である。
【００２９】
同図において、光ヘッド用光学ユニット５０は、レーザ光源側から順に、第１の光学素子２１、第２の光学素子２２、第３の光学素子２３と、第１の光学素子２１と第２の光学素子２２の間に挟持されたスペーサ２６と、第１の光学素子２１とスペーサ２６を保持する第１の鏡枠２５と、第２の光学素子２２と第３の光学素子２３を保持する第２の鏡枠２４で構成されている。
【００３０】
第１の鏡枠２５と第２の鏡枠２４は、遮光性の樹脂材料で成形により形成される。
【００３１】
第１の光学素子２１は、主に青紫色と赤外線の互換を行う機能をつかさどる光学素子であり、透明のガラス平板上の光源側でない面に、紫外線硬化型の樹脂で光軸方向から見た形状が環状で断面形状が階段状の輪帯構造を形成して回折面としたハイブリッド構成とすることが好ましい。このように外観に露出しない面に回折面を形成することで、回折面が傷つくのを防止できる。第２の光学素子２２は、樹脂材料の射出成形により作製され、光源の面に回折面が形成されており、主に青紫色と赤色の互換を行う機能をつかさどる光学素子である。
【００３２】
この第１の光学素子２１と第２の光学素子２２によって、高密度光ディスク、ＤＶＤ、ＣＤの３種のディスクの互換を可能としている。
【００３３】
第３の光学素子２３は、結像性能を有するレンズであり、温度変化に対し変化の少ないガラス成形レンズ（ガラスモールドレンズとも言う）とすることが好ましい。これは、ガラスの母材を所望の形状に対応した面形状を有する金型を用いて精密成形することにより作製されるものである。
【００３４】
なお、上述の３種の光学素子の機能構成は一例であって、これに限るものでなく、その他の変形例でもよい。
【００３５】
以上のような光学素子と鏡枠を用いた光ヘッド用光学ユニット５０の内部構造と光学素子相互の位置決めについて、組み立て順に従い説明する。
【００３６】
図３は、第２の鏡枠に第３の光学素子２３と第２の光学素子２２が組み付けられる状態を示す図である。
【００３７】
同図において、まず第２の鏡枠２４に第３の光学素子２３を組み付ける。この組み付けは、第３の光学素子２３に形成されたフランジ部２３ｆの部分で図示のように嵌合して接着固定される。次いで、第２の光学素子２２を図示のように第２の鏡枠２４に載置する。
【００３８】
この時、図示のように、第２の光学素子２２の外径をＤ2とし、第２の鏡枠２４の第２の光学素子２２が組み付けられる部位の内径をＷ2とした時、Ｗ2＞Ｄ2であって、第２の光学素子２２が光軸Ｏに直交する方向に、摺動できる間隙（隙間）を有するように、第２の鏡枠２４の内径が形成されている。この間隙Ｂ＝（Ｗ2−Ｄ2）の値は、０．０５〜０．２ｍｍ程度が好ましい。また、第２の鏡枠２４の第２の光学素子２２が組み付けられる部位の周縁部の高さは、第２の光学素子２２の周縁部が突出するように、Ｈ2の差を有して低く形成されている。この、高さの差Ｈ2は０．３〜０．８ｍｍ程度が好ましい。
【００３９】
次いで、第２の鏡枠２４を固定した状態で、略１２０°間隔で３方向に配置された３つの爪形の位置決め治具３１を、図示のように第２の光学素子２２の突出した外周縁部の角部に接触させ、既に固定された第３の光学素子２３に対して、第２の鏡枠２４に形成された面２２ｆ上で、第２の光学素子２２を第３の光学素子２３の光軸Ｏに直交する方向に、摺動させて位置決めが行われる。この後、図示しないが、第２の光学素子２２は接着により固定される。
【００４０】
この位置決めの方法は、特開２００１−６２０３号公報に記載の、双方の光学素子に形成されたマークを、顕微鏡等で確認しつつ合わせるものが適用可能であるが、第３の光学素子２３の焦点位置と第２の光学素子２２に形成されたマークを確認しつつ合わせるものでもよい。
【００４１】
このように、第２の鏡枠２４に、第２の光学素子２２を光軸と直交する方向に摺動可能とする間隙を形成し、更に第２の光学素子２２の外周縁部が突出するように、対応する第２の鏡枠２４の周縁部を形成し、この突出した第２の光学素子２２の外周縁部に接触する位置決め治具３１により摺動させるようにすることにより、位置決め治具３１を第２の鏡枠２４と干渉させることなく、第２の光学素子２２の位置決めを行うことができるようになると共に、位置決めマーク等を確認するための顕微鏡の対物レンズ３２が接近するスペースを第２の光学素子２２近傍の光軸Ｏ上に確保することができる。
【００４２】
図４は、図３で示した工程の後の、第１の光学素子２１が組み付けられ、位置決めする状態を示す図である。
【００４３】
同図に示すように、第２の鏡枠２４に第２の光学素子２２が第３の光学素子２３に対し位置決めされて固定された後、第１の鏡枠２５が図示の如く第２の鏡枠に固定される。この後、スペーサ２６が落とし込まれ、スペーサ２６を挟持するように、第１の光学素子２１を載置する。
【００４４】
この時、図示のように、第１の光学素子２１の外径をＤ1とし、第１の鏡枠２５の第１の光学素子２１が組み付けられる部位の内径をＷ1とした時、Ｗ1＞Ｄ1であって、第１の光学素子２１が光軸Ｏに直交する方向に、摺動できる間隙（隙間）を有するように、第１の鏡枠２５の内径が形成されている。この間隙Ａ＝（Ｗ1−Ｄ1）の値は、上述のＢ＝（Ｗ2−Ｄ2）の値より大きく、即ちＡ＞Ｂとなるよう設定され、０．１〜０．４ｍｍ程度が好ましい。このように設定することで、第１の鏡枠内の第１の光学素子の位置決めのための摺動量が不足することを防止できる。また、第１の鏡枠２５の第１の光学素子２１が組み付けられる部位の周縁部の高さは、第１の光学素子２１の周縁部が突出するように、Ｈ1の差を有して低く形成されている。この、高さの差Ｈ1は０．３〜０．８ｍｍ程度が好ましい。
【００４５】
この後、上述と同様に第２の鏡枠２４を固定した状態で、図示のように位置決め治具３１を第１の光学素子２１の突出した外周縁部の角部に接触させ、既に固定された第２の光学素子２２に対して、スペーサ２６上で、第１の光学素子２１を光軸Ｏに直交する方向に、摺動させ、位置決めを行う。この後、図示しないが、第１の光学素子２１は接着により第１の鏡枠２５に固定される。
【００４６】
このように、第１の光学素子２１がスペーサ２６の一方の面を摺動部として、光軸と直交する方向に摺動可能に形成され、第１の光学素子２１の外周縁部が突出するように、対応する第１の鏡枠２５の周縁部を形成し、この突出した第１の光学素子２１の外周縁部に接触する位置決め治具により摺動させることにより、位置決め治具を第１の鏡枠２５と干渉させることなく、第１の光学素子２１の位置決めを行うことができるようになると共に、位置決めマーク等を確認するための顕微鏡の対物レンズ３２が接近するスペースを第１の光学素子２１近傍の光軸Ｏ上に確保することができ、各光学素子の位置決めを容易に行うことができるようになる。
【００４７】
更に、第１の光学素子２１と第２の光学素子２２の間でスペーサを挟持することで、光軸方向の間隔を、スペーサの厚みのみで管理することができ、第１の光学素子２１と第２の光学素子２２の間隔の精度を安定化させることができる。
【００４８】
（第２の実施の形態）
以下、本発明に係る光ヘッド用光学ユニット５０の第２の実施の形態について説明する。
【００４９】
図５は、本発明に係る光ヘッド用光学ユニット５０の他の例の概略断面図である。同図については、図２に示す光ヘッド用光学ユニットと同じ部材には同符号を付与し、説明の重複を避け、異なる部分についてのみ説明する。
【００５０】
同図において、第２の光学素子２２、第３の光学素子２３及びこれらを保持する第２の鏡枠２４に関する形状と第２の光学素子２２、第３の光学素子２３の位置決めについては、図３で説明したものと同様である。
【００５１】
上述のように、第２の鏡枠２４に第２の光学素子２２が第３の光学素子２３に対し位置決めされて固定された後、第１の鏡枠２７が図示の如く第２の鏡枠２４と光軸方向で当接して固定される。第１の鏡枠２７は、第１の光学素子２１が載置される受け面２７ｆを有している。この受け面２７ｆ上に第１の光学素子２１を載置される。
【００５２】
この時、同様に、第１の光学素子２１の外径をＤ1とし、第１の鏡枠２７の第１の光学素子２１が組み付けられる部位の内径をＷ1とした時、Ｗ1＞Ｄ1であって、第１の光学素子２１が光軸Ｏに直交する方向に、摺動できる間隙を有するように、第１の鏡枠２７の内径が形成されている。この間隙Ａ＝（Ｗ1−Ｄ1）の値は、上述のＢ＝（Ｗ2−Ｄ2）の値より大きく、即ちＡ＞Ｂとなるよう設定され、０．１〜０．４ｍｍ程度が好ましい。また、第１の鏡枠２７の第１の光学素子２１が組み付けられる部位の周縁部の高さは、第１の光学素子２１の周縁部が突出するように、Ｈ1の差を有して低く形成されている。
【００５３】
この後、上述と同様に、第２の鏡枠２４を固定した状態で位置決め治具を第１の光学素子２１の突出した外周縁部の角部に接触させ、既に固定された第２の光学素子２２に対して、受け面２７ｆ上で、第１の光学素子２１を光軸Ｏに直交する方向に、摺動させて、位置決めを行う。この後、図示しないが、第１の光学素子２１は接着により第１の鏡枠２５に固定される。
【００５４】
このように、第１の鏡枠２７を、第２の鏡枠２４と光軸方向で当接して固定し、第１の鏡枠２７の受け面２７ｆ上で、第１の光学素子２１が光軸と直交する方向に摺動可能な摺動部を形成することによっても、上述と同様の効果を得ることができる。
【００５５】
図６は、第１の鏡枠２５又は２７の先端部の形状を示す図である。
【００５６】
同図に示すように、第１の鏡枠２５又は２７の周縁部の３箇所で、第１の光学素子２１の外周縁部より突出した突起部Ｔを有している。この突起部Ｔは、上述の略１２０°間隔で３方向に配置された位置決め治具と干渉しない位置に形成されている。この突起部Ｔ以外の位置では第１の光学素子２１の外周縁部が第１の鏡枠２５又は２７の周縁部より突出するように形成されている。
【００５７】
このように第１の鏡枠２７に突起部Ｔを形成し、完成した光ヘッド用光学ユニット５０を突起部Ｔを下にして載置することができ、完成後に光学素子への擦り傷がつくのを防止できる。
【００５８】
なお、上述第１及び第２の実施の形態では、第３の光学素子２３を嵌合して固定し、この第３の光学素子２３に対して第２の光学素子２２を位置決めするもので説明したが、これに限らず、第２の光学素子２２に対して第３の光学素子２３を位置決めするようにしても良く、この場合には、同様の間隙と周縁部が第３の光学素子２３に対して第２の鏡枠２４に形成されるのは言うまでもない。
【図面の簡単な説明】
【００５９】
【図１】本発明に係る光ヘッド用光学ユニットを備えた互換型光ピックアップ装置の光学的な概略構成を示した図である。
【図２】本発明に係る光ヘッド用光学ユニットの概略断面図である。
【図３】第２の鏡枠に第３の光学素子と第２の光学素子が組み付けられる状態を示す図である。
【図４】図３で示した工程の後の、第１の光学素子が組み付けられ、位置決めする状態を示す図である。
【図５】本発明に係る光ヘッド用光学ユニットの他の例の概略断面図である。
【図６】第１の鏡枠の先端部の形状を示す図である。
【符号の説明】
【００６０】
１１  青紫色半導体レーザ
１２  ビームスプリッタ
１３  ビームスプリッタ
１４  コリメータレンズ
１５  光検出器
１６  ビームスプリッタ
１７  第１光モジュール
１８  第２光モジュール
２１  第１の光学素子
２２  第２の光学素子
２３  第３の光学素子
２４  第２の鏡枠
２５  第１の鏡枠（第１の実施の形態）
２６  スペーサ
２７  第１の鏡枠（第２の実施の形態）
３１  位置決め治具
３２  顕微鏡の対物レンズ
５０  光ヘッド用光学ユニット
１００  互換型光ピックアップ装置
【図１】
2006048835.tif 000003
【図２】
2006048835.tif 000004
【図３】
2006048835.tif 000005
【図４】
2006048835.tif 000006
【図５】
2006048835.tif 000007
【図６】
2006048835.tif 000008